(57)【要約】　　　（修正有）【課題】従来、席札立てには、ナプキンに立て掛けたり、クリップ付きスタンドに挟んだり、透明プラスチックの組立て式席札立て等が用いられているが、披露宴等の演出には、地味で華やかさに欠ける。席札立てに発光体を利用したケースは見当たらない。【解決手段】透明プラスチック製本体２上面の横方向に、該上面から下前方に傾斜する溝部８を設け、該溝部の後方に発光体３、電池４及び押しボタンスイッチ５を収納してなり、席札を通して発光体の発光、点滅する光によって席札の氏名が浮き出て見えると共に光を点滅させることで高い演出効果が得られる。【選択図】　　図２
0003097751.tif 000002
【実用新案登録請求の範囲】
【請求項１】
透明プラスチック製の本体に、発光体、電池及び押しボタンスイッチを収納してなることを特徴とする席札立て。
【請求項２】
上記本体上面の横方向に平行し下方前方に傾斜する溝部を設けてなる請求項１記載の席札立て。
【請求項３】
上記本体前面に溝部を設けた席札保持部を設けてなる請求項１記載の席札立て。
【請求項４】
上記溝部内に、溝部の縦方向に前面又は後面から他面方向に突出する複数の突起部を設けてなる請求項２又は３記載の席札立て。
【考案の詳細な説明】
【０００１】
【考案の属する技術分野】
本考案は、席札立てに関する。更に詳しくは、発光体を備えて発光が席札を透視して見えるようにした席札立てに関する。
【０００２】
【従来の技術】
従来、席札を席上に表示するには、席札を折畳んだナプキンの上に載せたり、斜めに立てたりすることが行なわれている。また、紙挟みクリップを上向きに台に取付けたもの、台付きの２枚の表示板の間に名札を落とし入れるものや、紙製又は透明プラスチック製の組み立て式の席札立ても広く用いられている（例えば、特許文献１、２）。
【０００３】
また、宴席等において発光体を発光させた装飾物も種々用いられている。植木、入場退席の出入口、テーブル等の周囲、トーチ等が挙げられる。また、飲み物を入れたグラスやコースター等に用いることも知られている（例えば、特許文献３）。
【０００４】
【特許文献１】
実用新案登録第３０００４０９号
【特許文献２】
特開平１０−３１４２０号
【特許文献３】
実用新案登録第３０８４９７４号
【０００５】
しかしながら、席札の掲示にナプキンを使用する場合には、席札の位置が一定せず、落ちたり倒れたりする。また、上記席札立ては、ビジネス的で披露宴等の宴席に用いるには地味で演出性に乏しく、また、組立て式の席札立ては、組立てて使用後に分解を行なう手間を要する。また、席札立てに発光体を用いるものは知られていない。
【０００６】
【考案が解決しようとする課題】
本考案は、上記の問題点を解決するもので、組立て、取外し等の手間を必要とせず、製造したものをそのまま用いることができ、席上に置いて宴席を盛り上げる小道具として利用でき、更に、宴席後はプレゼントして持ち帰り、発光体を利用して楽しんだり、メモ等の掲示にも利用できる席札立てを提供することを目的とする。
【０００７】
【課題を解決するための手段】
本考案は、（１）透明プラスチック製の本体に、発光体、電池及び押しボタンスイッチを収納してなることを特徴とする席札立て、（２）上記本体上面の横方向に平行し下方前方に傾斜する溝部を設けてなる上記（１）記載の席札立て、（３）上記本体前面に溝部を設けた席札保持部を設けてなる上記（１）記載の席札立て、（４）上記溝部内に、溝部の縦方向に前面又は後面から他面方向に突出する複数の突起部を設けてなる上記（２）又は（３）記載の席札立て、を要旨とする。
【０００８】
【考案の実施の形態】
以下、実施例に基づき本考案を詳細に説明する。
図１は、本考案の席札立て１の第１の例を示す斜視図であり、席札立て１の上面に席札１５を立てる溝部８を設けた例を示す。
図２は、図１の席札立て１をＡ−Ａ線にて切断した内部構造を示す断面図である。
図３は、本考案の席札立て１の第２の例を示す斜視図であり、席札立て１の前面に溝部８を設けた席札保持部１２を設けた席札立て１を示す。
図４は、図３の席札立て１に席札１５を立てた状態を示す斜視図である。
【０００９】
図１の席札立て１の本体２は、ポリスチレン樹脂よりなり外観形状がほぼ長方形状で後面が緩い円弧状を形成している。本体２上面の横方向には、該上面から下前方に傾斜した溝部８が設けられている。本体２の底面は、図２に示すように該底面に開口して収納部６が設けられ、発光体３、電池４、押しボタンスイッチ（以下、スイッチという。）５及び電池４を保持する電極板１０等が収納される。収納部６は、上記円弧の中央の溝部８の後方に設けられる。従って溝部８に立てた席札１５の後方で発光体３が発光し、席札１５を透過した光が席札立て１の前方から見えるように形成されている。
【００１０】
本体２の底面には、ねじ込み等により取付けられる蓋体７を用意し、該蓋体７上に電極板１０、電池３、発光体４及びスイッチ５等を取付けて配線し、それらを収納部カバー１１で覆い、蓋体７との当接面を接合する。上記蓋体７を本体２の底面に嵌め込んで本体２に発光体３等を収納する。蓋体７は、上記本体２と同じプラスチックにより形成されているのが好ましく、嵌合又はねじ込みによって固定することができる。スイッチ５は、蓋体７の下面に押しボタンが外から押せるように設けられるのが好ましく、更に上記押しボタンの頭は、蓋体７の下面と同じ位置か、下面より若干突出して設けられていて、席札立て１を持って下面を堅い台上に当接させてスイッチ５の辺を上から押してスイッチ５を入れたり切ったりするようにすることもできる。
【００１１】
上記本体２は、透明なプラスチックよりなり、透明な熱可塑性樹脂の成形加工により得られるのが好ましく、透明な熱可塑性樹脂としては、ポリエステル樹脂、ポリスチレン樹脂、アクリル樹脂、ポリエチレン樹脂、ポリプロピレン樹脂等が挙げられ、ポリプロピレン樹脂、
アクリル樹脂が好ましい。
【００１２】
上記本体２の底部は、内部を外形に合わせた中空を有する箱状に成形してもよく、また、発光体３、電池４、スイッチ５を収納するに足るだけの収納部６のスペースを中空にして成形加工を行なってもよい。前者の場合は蓋体７が大きく、後者では小さくなるが、いずれの場合も、蓋体７に電極板１０、発光体３、電池４及びスイッチ５を取付けて配線を行ない、その蓋体７によって収納部６に蓋をすると同時に発光体３等を収納することができる。
【００１３】
席札立て１の形状としては、席札１５を掲示する前方よりみて三角形、六角形等の形状、又は動物、人形、花等の形状が考えられ、形状によって限定されるものではなく、発光体３等を収納するのに充分な厚みを持った成形体として形成されているのが好ましい。上記実施例では収納部６が席札１５の後に位置して設けられているが、席札１５の前方、つまり図１の場合、溝部８の前に位置して設けてもよい。
【００１４】
席札立て１の大きさは、その形状及び席札１５の大きさによって変化するが、巾３０〜１２０ｍｍ、高さ２５〜８０ｍｍ、奥行２０〜５０ｍｍであり、上記図１、２に示す例の場合は、巾１００ｍｍ、高さ６０ｍｍ、奥行３５ｍｍである。また、図３、４に示す例の場合は、底面の長さで巾３５ｍｍ、高さ３５ｍｍ、奥行３５　ｍｍである。
【００１５】
上記溝部８は、本体２の上面に、該上面の横方向に平行に全長に渡って下方向に同じ巾で同じ深さに設けるのが好ましい。溝部８は垂直に設けてもよいが、席札１５を傾斜させて掲示するために、垂直方向に１０〜３５度の角度で前方に傾斜して設けるのが好ましい。溝部８の巾は２〜６ｍｍに設けるのが好ましい。
【００１６】
また、溝部８の内面には、図１、２に示すように溝部８の縦方向に溝部８内前面から後面に向って突起する複数の突起部９を設けておくのが好ましい。該突起部９は、溝部８内後面には当接せず、席札１５を挟むことのできる間隙を空けて設けられ、溝部８内にほぼ該溝部８の深さと同じ長さの連続した突起部９を２〜５本設けるのが好ましい。上記突起部９を設けることで、溝部８に席札１５を立てた後に横にずれて抜けたり、席札立て１の上下を逆にして席札１５が抜け落ちたりすることが防止できる。そのためには、上記形状の突起部９を３本以上設けるのが好ましい。
【００１７】
上記突起部９は、上記溝部８の縦方向に溝部８の後面から前面に向って突起して設けられていてもよい。また、上記突起部９は、連続した形状ではなく不連続に設けられていてもよい。また、溝部８の前面又は後面のいずれかの面に分布して、例えば円柱状、角柱状等の形状の突起を複数設けて突起部９として用いることもできる。
【００１８】
上記発光体３等の収納は、本体２の側面又は背面から収納部６を設けて収納することもできる。その場合には、発光体３等は横向きに取付けて収納してもよいが、上記例と同様に上から発光体３、電池４及び電極板１０を配置して縦向きに収納してもよい。スイッチ５は、蓋体７に取付けて横からボタンを押すようにするのが好ましい。
【００１９】
発光体３としては、発光ダイオード、電球等を用いることができる。赤色、緑色と青色の３色に発光するＬＥＤが、収納箇所が小さくて済み、消費電力も少なく、色の変化を楽しむことができるので好ましい。上記３色は、１色又は２色を同時に、また３色を同時又は点滅して発光させることで、楽しく変化に富んだ演出を行なうことができる。
【００２０】
電池４には、リチウム電池、空気電池、水銀電池等のボタン電池又はアルカリ乾電池が用いられる。発光体３にＬＥＤを用いた場合、１〜３ボルトの電池４を２〜５個連結して用いることで、宴席の時間程度は、充分に発光することができる。乾電池を用いると長時間発光体３や電球の点滅を行なうことができる。
【００２１】
スイッチ５の取付け位置は、蓋体７に発光体３、電池４等を取付けてそれを収納する本体２の位置が、底面、側面に拘わりなく、本体の底面又は側面に取付けて配線して用いることができる。スイッチ５の押しボタンは軟質のプラスチックシートで被覆されているのが好ましい。
【００２２】
本発明の席札立て１に用いる席札１５には、上記例のように席札１５の後方に発光体３等を収納する場合には、発光体３の光が透過して見える半透明な紙製又はプラスチック製のシートを用いるのが好ましい。半透明な席札１５を用いて発光体３の光を透過させて席札１５の前面から見ると、氏名が着色光で縁取られて見えたり、また、シートを傾斜させるとシートの上方にも光が透過してオーロラのように見える。光を点滅させて用いた場合には幻想的で本当のオーロラを見ているようになり、極めて高い演出的効果が得られる。
【００２３】
上記半透明な紙製又はプラスチック製のシートとしては、トレーシングペーパー、通常印刷・複写用に用いられる用紙、合成紙、フィラーの添加量を少なくして半透明にした合成紙等が用いられる。上記用紙を掲示する際に折曲がるのを防ぐために厚手のプラスチック製の透明なフィルム又はシートに挟んだり、積層して用いることができる。
プラスチック製の透明なフィルム又はシートとしては、ポリエチレン、ポリプロピレン、ポリエステル、ポリスチレン等が挙げられる。
【００２４】
図３に示す第２の例について説明すると、図３の席札立て１は、本体２がポリエステル樹脂よりなり、四角台形状をなし、溝部８を有する席札保持部１２が前面となる斜面中央下端に設けられている。この場合、収納部６は、発光体３、電池４等を収納して丁度収まる大きさに成形されており収納部カバー１１は使用せずに、蓋体７に発光体等を取付けて嵌め込んで収納することができる。
【００２５】
上記席札保持部１２は、席札１５を掲示する面（前面）の中央下端に設けるのが好ましい。該席札保持部１２は、本体２と一体に成形加工を行なって設けることもできるが、蓋体７と一体に成形加工を行なっても得られる。また、席札保持部１２のみを成形して蓋部７の所定箇所に接合して形成することもできる。接合には、接着剤を用いる方法、熱融着による方法が挙げられる。席札保持部１２を分離して成形する場合には、本体２と同じプラスチック樹脂を用いるのが好ましい。
【００２６】
席札保持部１２に設ける溝部８は、該保持部１２の上面の横方向に、上面から下前方に傾斜して設けるのが好ましく、更に第１の実施例の席札立て１と同様に、溝部８内の前面から後面に向って複数の垂直な突起物９を設けておくことが好ましい。それによって上記同様に席札１５のずれや抜け落ちを防止することができる。
【００２７】
図３の例の席札立て１において、本体の４側面が全て傾斜していなくともよく、４側面のうち少なくとも１側面が傾斜面を形成していればよく、該斜面の中央下端に席札保持部１２を設けることで本考案の席札立て１の目的を達成することができる。上記席札保持部１２の溝部８の傾斜角度は、上記実施例と同様の角度であるのが好ましい。
【００２８】
上記席札立て１にて、席札保持部１２や本体２に溝部８を設けていない場合の席札１５の取付け方は、席札１５の裏面に両面粘着テープを貼付して席札立て１の斜面に傾斜して貼付することにより取付けることができる。また、席札１５の約２倍の大きさの用紙を二つ折りにして立て、一方の傾斜面に氏名等を記載する。二つ折りして立てた用紙の間に席札立て１を挟むようにして氏名を前方に、他方を後方にして用紙の両下端を席札立て１の下端で折り曲げて重合させ、重合面の上に席札立て１を置くことによっても席札１５を掲示することができる。上記方法において、発光の透過をよくするために席札１５が席札立て１の斜面にできるだけ密接するように両面粘着テープ等により上記斜面に貼付するのが好ましい。
【００２９】
上記席札立て１は、披露宴等で用いた後、小さい容器等に入れてラッピングして出席者に気の利いたプレゼントとしてお渡しして、持ち帰って発光体を点滅させることによって記念や思い出の品ともなり、また、写真等を飾ったり、メモ挟みや行き先等を表示することにも利用することもできる。
【考案の効果】
【００３０】
本考案の席札立ては、透明プラスチック製の本体に、発光体、電池及び押しボタンスイッチを収納してなることにより、席札を通して発光体の発光・点滅する光によって席札の氏名が華やかに浮き出て見えると共に、席札に光を透過する半透明なシートを用いて光を点滅させたりすることで光の動きがオーロラのように幻想的に見えることにより極めて高い演出的効果が得られる。
【００３１】
また、本考案の席札立ては、席札を保持する溝部を設け、該溝部の内面には、溝部の前面又は後面から他面に突出する複数の突起部を設けてなることにより、席札を安定した状態に掲示することができると共に、席札がずれたり、抜け落ちたりすることが防止できるという効果が得られる。
【００３２】
本考案の席札立ては、セットしたり、席札の掲示及び除去、後片付けが簡単で、席札立ての組立てや分解する必要がないので、席の準備・片付けに手間を要しないという効果が得られる。また、披露宴等の終了後は出席者に記念に差し上げて、発光体を点滅させて楽しんだり、メモ等の掲示等に利用することもできる。
【図面の簡単な説明】
【図１】本考案の席札立ての１実施例を示す斜視図である。
【図２】図１の席札立てのＡ−Ａ線による切断断面図である。
【図３】本考案の席札立ての他の実施例を示す斜視図である。
【図４】図３の席札立てに席札を取り付けた状態を示す斜視図である。
【符号の説明】
１　　　席札立て
２　　　本体
３　　　発光体
４　　　電池
５　　　押しボタンスイッチ
７　　　蓋体
８　　　溝部
９　　　突起部
１２　　席札保持部
【図１】
0003097751.tif 000003
【図２】
0003097751.tif 000004
【図３】
0003097751.tif 000005
【図４】
0003097751.tif 000006